(57)【要約】  薬剤容器中で乾燥薬剤を再構成する際に使用するための、および液体薬剤を希釈するための移送装置が開示される。移送装置は、マルチポートマニホルドと、薬剤容器に取り付けられるのに適したコネクタと、マニホルドの入口ポートに入る液体をコネクタを通してかつ薬剤容器に移送するための第１の導管と、ガス状流体をコネクタを通してマニホルドの出口ポートへ移送するための第２の導管とを含む。また、移送装置と、移送装置に液体を輸送するための入口ポートに接続可能な管と、移送装置から離れるようにガス状流体を輸送するための出口ポートに接続可能な管と、ガス輸送管内のガス状流体を収集するためのガス収集容器とを含む閉鎖型液体移送システムが開示される。【選択図】図１
2017535386.tif 000002
【特許請求の範囲】
【請求項１】
閉鎖型液体移送システムにおいて、
マルチポートマニホルドと、薬剤容器に取り付けられるのに適したコネクタとを含む移送装置であって、前記マニホルドの入口ポートに入る液体を前記コネクタを通してかつ前記薬剤容器に移送するための第１の導管と、ガス状流体を前記コネクタおよび前記マニホルドを通して前記マニホルドの出口ポートに移送するための第２の導管とを含む移送装置と、
液体を前記移送装置に輸送するための前記入口ポートに接続可能な管と、
前記ガス状流体を前記移送装置から離れるように輸送するための前記出口ポートに接続可能な管と
を含むことを特徴とする閉鎖型液体移送システム。
【請求項２】
請求項１に記載のシステムにおいて、前記ガス輸送管内の前記ガス状流体を収集するためのガス収集容器をさらに含むことを特徴とするシステム。
【請求項３】
請求項１に記載のシステムにおいて、前記マニホルドが、前記ガス輸送管内への液体の流れを防止するために前記出口ポートに密封シールを含むことを特徴とするシステム。
【請求項４】
請求項１に記載のシステムにおいて、第１のポートから第２のポートへ、および前記第２のポートから第３のポートへの一方向性の液体の流れを許容するように動作可能な３つのポートを有する弁をさらに含むことを特徴とするシステム。
【請求項５】
請求項４に記載のシステムにおいて、前記液体を前記第１のポートに輸送するために前記第１のポートに接続可能な液体供給管をさらに含むことを特徴とするシステム。
【請求項６】
請求項４に記載のシステムにおいて、前記液体輸送管が前記弁の前記第３のポートに接続可能であることを特徴とするシステム。
【請求項７】
請求項４に記載のシステムにおいて、前記液体を供給するために前記液体供給管に接続可能な液体容器をさらに含むことを特徴とするシステム。
【請求項８】
請求項４に記載のシステムにおいて、前記第２のポートが、手動操作可能なシリンジ、自動シリンジ装置、およびリピータポンプの何れか１つに接続可能であることを特徴とするシステム。
【請求項９】
請求項４に記載のシステムにおいて、前記第２のポートがルアーコネクタを含むことを特徴とするシステム。
【請求項１０】
請求項４に記載のシステムにおいて、前記ガス収集容器に向かう前記ガス状流体の一方向性の流れを許容するために前記ガス状流体輸送管に接続された一方向弁をさらに含むことを特徴とするシステム。
【請求項１１】
請求項１に記載のシステムにおいて、前記薬剤容器が薬剤バイアルまたは薬剤バッグの何れか一方であることを特徴とするシステム。
【請求項１２】
請求項１に記載のシステムにおいて、前記液体が希釈剤であることを特徴とするシステム。
【請求項１３】
複数の薬剤容器中で乾燥薬剤を再構成するか、または液体薬剤を希釈する方法において、
マルチポートマニホルドと、薬剤容器に取り付けられるのに適したコネクタとを含む移送装置を前記薬剤容器に取り付けるステップであって、前記移送装置が、前記マニホルドの入口ポートに入る液体を前記コネクタを通してかつ前記薬剤容器に移送するための第１の導管と、前記コネクタおよび前記マニホルドを通して前記マニホルドの出口ポートにガス状流体を移送するための第２の導管とを含む、ステップと、
計量された量の希釈剤を、前記マニホルドの前記入口ポートに接続された管に送り込むステップと、
前記薬剤容器から排出されたガス状流体を、前記出口ポートに接続された管を通してガス収集容器内に収集するステップと、
前記複数の薬剤容器について前記ステップを繰り返すステップと
を含むことを特徴とする方法。
【請求項１４】
請求項１３に記載の方法において、シリンジ、自動シリンジ装置、およびリピータポンプの何れか１つを使用して、前記計量された量の希釈剤を送り込むステップをさらに含むことを特徴とする方法。
【請求項１５】
請求項１３に記載の方法において、希釈剤容器から前記希釈剤を供給するステップをさらに含むことを特徴とする方法。
【請求項１６】
薬剤容器中で乾燥薬剤を再構成する際に使用するための、および液体薬剤を希釈するための移送装置において、
マルチポートマニホルド、および薬剤容器に取り付けられるのに適したコネクタと、
前記マニホルドの入口ポートに入る液体を前記コネクタを通してかつ前記薬剤容器に移送するための第１の導管と、
ガス状流体を前記コネクタを通して前記マニホルドの出口ポートに移送するための第２の導管と
を含むことを特徴とする移送装置。
【発明の詳細な説明】
【技術分野】
【０００１】
関連出願の相互参照
本出願は、その内容が参照により全体として本明細書に組み込まれる、２０１４年１０月２日に出願された米国仮特許出願第６２／０５８，６６７号明細書の利益を主張する。
【０００２】
本発明は、そのいくつかの実施形態では、医療および薬理学的用途で使用する流体移送装置に関し、より詳細には、しかし非排他的に、容器間で液体を汚染なしに移送するためのシステムおよび方法に関する。
【背景技術】
【０００３】
薬剤を扱うための閉鎖システムおよび閉鎖式薬剤移送装置は、当該技術分野において周知である。これらは、通常、特にある容器から別の容器に危険な薬剤を移す際に、人間の薬剤への潜在的な曝露を減らすために使用される。これらのタイプのシステムおよび装置は、一般に、米国国立労働安全衛生研究所（ＮＩＯＳＨ）によって提供される定義に準拠するように設計されている。その定義とは以下の通りである。
「閉鎖式薬剤移送装置（ＣＳＴＤ）は、システム内に環境汚染物質が移動することおよび有害な薬剤または蒸気濃縮物がシステム外に逃げることを機械的に禁止する薬剤移送装置である。」
【０００４】
有害な薬剤への曝露は、特に曝露が時間をかけて行われる場合、それらに曝露されている人々に重篤な健康合併症を引き起こす可能性がある。これらの合併症は、皮膚炎から、先天性欠損症、さらには様々な形態の癌の発生にまで及ぶ可能性がある。例えば、有害な抗悪性腫瘍薬を含む化学療法薬を調製および投与するために、それらの薬剤を元のバイアルからシリンジに、かつシリンジからＩＶ注入バッグに移す必要がある。移送のたびに有害な薬剤への曝露の可能性が生じる。
【０００５】
各研究によれば、ＣＳＴＤを使用しない場合、カウンターおよびドアノブを含む作業場内の表面に、さらには秘書卓のような可能性が低い場所の表面にさえも有害薬剤の残留物の存在が示された。これは、薬剤の接着特性によるものである。ＣＳＴＤを使用すると、残留物の割合および薬剤からの有害な蒸気への曝露がかなり低減される可能性がある。
【発明の概要】
【０００６】
本発明の実施形態によれば、マルチポートマニホルドと、薬剤容器に取り付けられるのに適したコネクタとを含む移送装置を含む閉鎖型液体移送システムが提供される。移送装置は、マニホルドの入口ポートに入る液体をコネクタを通してかつ薬剤容器に移送するための第１の導管と、ガス状流体をコネクタおよびマニホルドを通してマニホルドの出口ポートに移送するための第２の導管とを含む。システムは、液体を移送装置に輸送するための入口ポートに接続可能な管と、ガス状流体を移送装置から離れるように輸送するための出口ポートに接続可能な管とをさらに含む。
【０００７】
本発明の実施形態によれば、システムは、ガス輸送管内のガス状流体を収集するためのガス収集容器をさらに含む。
【０００８】
本発明の実施形態によれば、マニホルドは、ガス輸送管内への液体の流れを防止するために出口ポートに密封シールを含む。
【０００９】
本発明の実施形態によれば、システムは、第１のポートから第２のポートへ、および第２のポートから第３のポートへの一方向性の液体の流れを可能にするように動作可能な３つのポートを有する弁をさらに含む。
【００１０】
本発明の実施形態によれば、システムは、液体を第１のポートに輸送するために第１のポートに接続可能な液体供給管をさらに含む。
【００１１】
本発明の実施形態によれば、液体輸送管は弁の第３のポートに接続可能である。
【００１２】
本発明の実施形態によれば、システムは、液体を供給するために液体供給管に接続可能な液体容器をさらに含む。
【００１３】
本発明の実施形態によれば、第２のポートは、手動操作可能なシリンジ、自動シリンジ装置、およびリピータポンプの何れか１つに接続可能である。
【００１４】
本発明の実施形態によれば、第２のポートはルアーコネクタを含む。
【００１５】
本発明の実施形態によれば、システムは、ガス収集容器に向かうガス状流体の一方向性の流れを許容するためにガス状流体輸送管に接続された一方向弁をさらに含む。
【００１６】
本発明の実施形態によれば、薬剤容器は薬剤バイアルまたは薬剤バッグの何れか一方である。
【００１７】
本発明の実施形態によれば、液体は希釈剤である。
【００１８】
本発明の実施形態によれば、複数の薬剤容器中で乾燥薬剤を再構成するか、または液体薬剤を希釈する方法が提供される。この方法は、（１）マルチポートマニホルドと、薬剤容器に取り付けられるのに適したコネクタとを含む移送装置を薬剤容器に取り付けるステップであって、移送装置が、マニホルドの入口ポートに入る液体をコネクタを通してかつ薬剤容器に移送するための第１の導管と、コネクタおよびマニホルドを通してマニホルドの出口ポートにガス状流体を移送するための第２の導管とを含む、ステップと、（２）計量された量の希釈剤を、マニホルドの入口ポートに接続された管に送り込むステップと、（３）薬剤容器から排出されたガス状流体を、出口ポートに接続された管を通してガス収集容器内に収集するステップと、（４）複数の薬剤容器について上記ステップを繰り返すステップとを含む。
【００１９】
本発明の実施形態によれば、本方法は、シリンジ、自動シリンジ装置、およびリピータポンプの何れか１つを使用して、計量された量の希釈剤を送り込むステップをさらに含む。
【００２０】
本発明の実施形態によれば、本方法は、希釈剤容器から希釈剤を供給するステップをさらに含む。
【００２１】
本発明の実施形態によれば、薬剤容器中で乾燥薬剤を再構成する際に使用するための、および液体薬剤を希釈するための移送装置が提供され、移送装置は、マルチポートマニホルド、および薬剤容器に取り付けられるのに適したコネクタと、マニホルドの入口ポートに入る液体をコネクタを通してかつ薬剤容器に移送するための第１の導管と、ガス状流体をコネクタを通してマニホルドの出口ポートに移送するための第２の導管とを含む。
【図面の簡単な説明】
【００２２】
本発明のいくつかの実施形態は、添付の図面を参照して、単なる例としてここに記載される。示された詳細は例示を目的とし、本発明の実施形態の考察を提供する役割を果たす。説明および図面は、本発明の実施形態がどのように実施され得るかを当業者に明らかにするであろう。
【００２３】
【図１】図１は、本発明の実施形態による例示的な液体移送システムを概略的に示す。
【図２】図２は、本発明の実施形態による、マルチポートマニホルド（Ｔコネクタ）と、マニホルドのポートに取り付けられるＣＳＴＤコネクタとを含む移送装置の詳細図を概略的に示す。
【図３】図３は、本発明の実施形態による、閉鎖式再構成もしくは膨張プロセス、または他の液体移送プロセスにおいて手動操作式シリンジと共に使用される液体移送システムを示す。
【図４】図４は、本発明の実施形態による、閉鎖式再構成もしくは膨張プロセス、または他の液体移送プロセスにおいて自動シリンジ装置と共に使用される液体移送システムを示す。
【図５】図５は、本発明の実施形態による、閉鎖式再構成もしくは膨張プロセス、または他の液体移送プロセスにおいてリピータポンプと共に使用される液体移送システムを示す。
【図６】図６は、本発明の実施形態による、複数の薬剤容器における薬剤再構成または薬剤希釈のための閉鎖式液体移送システムを使用する例示的な方法のフローチャートである。
【発明を実施するための形態】
【００２４】
本発明の少なくとも１つの実施形態を詳細に説明する前に、本発明は、その適用において、以下の説明に記載されおよび／または図面に示される構造の詳細ならびに構成要素および／または方法の構成に必ずしも限定されないことを理解されたい。本発明は、他の実施形態が可能であるか、または様々な方法で実施または実行されることが可能である。
【００２５】
既知のＣＳＴＤを使用する薬剤再構成または希釈プロセスは、しばしば多くのステップを伴う。典型的なＣＳＴＤ再構成または希釈プロセスは、（ａ）希釈剤（例えば、生理食塩水、デキストロース、蒸留水）を保持する容器にアダプタを接続するステップと（例えば、生理食塩水バッグに接続されるスパイクアダプタ）、（ｂ）シリンジをアダプタに接続するステップと、（ｃ）ある量の希釈剤をシリンジに引き込むステップと、（ｄ）シリンジを希釈剤容器から取り外し、それを薬剤容器上のアダプタ（例えば、バイアル上のバイアルアダプタ、またはバッグ上のスパイクアダプタ）に接続するステップと、（ｅ）再構成される乾燥薬剤または希釈される流体薬剤を保持する薬剤容器に希釈剤を注入するステップと、（ｆ）希釈剤の注入後、ＣＳＴＤに応じて、シリンジを取り外し得、新しい薬剤容器についてステップｂ〜ｅを繰り返すステップであって、同じシリンジを使用するか、またはシリンジは廃棄され、新しいシリンジが使用される、ステップとを含み得る。シリンジには、薬剤容器上の特別のアダプタに適合し得る特別のコネクタが取り付けられてもよく、この際、コネクタおよびアダプタの両方は、ガスが薬剤容器（および取付けられたシリンジ）から周囲へ漏れないように、および汚染された空気が周囲から薬剤容器（および取り付けられたシリンジ）に流入しないように設計される。
【００２６】
本出願人は、上記の記載から認識され得るように、既知のＣＳＴＤを用いた薬剤の再構成および薬剤の希釈が、特に多くの薬剤容器を調製しなければならない場合に面倒で時間がかかり、潜在的に高価なプロセスであり得ることを認識してきた。既知のＣＳＴＤは、小規模の医療施設で必要とされ得るような少量の薬剤容器、例えば１日当たり数個の容器の調製には実用的であり得るが、毎日の調製必要量が数十、数百、またはそれを超えて上回り得る中規模および大規模施設にとって実用的でないことが明らかとなり得る。
【００２７】
本出願人は、典型的なＣＳＴＤ再構成または希釈プロセスにおけるステップ数を減らすことは、これらの欠点の全てではないにしても一部を克服する可能性があること、および新しい薬剤容器が使用されるたびに希釈剤容器と薬剤容器との間でシリンジを物理的に接続および切断する必要なく、希釈剤容器から複数の薬剤容器への希釈剤の移送を許容し得る閉鎖式液体移送システムにより、可能な解決策が提供され得ることをさらに認識してきた。
【００２８】
その全てが本発明の譲受人により一般に所有されており、参照により全体として本明細書に組み込まれる米国特許第８，１９６，６１４号明細書、米国特許第８，２６７，１２７号明細書、イスラエル特許出願ＩＬ２２４６３０号明細書、およびイスラエル特許出願第２２６２８１号明細書には、有害な薬剤の汚染のない移送を実現するのに適した閉鎖式液体移送装置の実施形態が開示されている。本出願人は、これらの液体移送装置のいくつかが、汚染のない再構成または希釈された薬剤の計量された量を複数の容器中で経済的に調製することを比較的容易に可能にする本発明の密閉システム液体移送システム（以下、便宜上、「液体移送システム」と呼ぶ）と共に使用できるコネクタおよびアダプタ（例えば、スパイクアダプタおよびバイアルアダプタ）を含むことを認識してきた。
【００２９】
本出願人は、液体移送システムを使用することにより、有害な薬剤の再構成および希釈に関連する安全性の問題および潜在的な危険性を改善できることをさらに認識してきた。例えば、シクロホスファミドなど、化学療法のために広く使用されている有害な薬剤をその粉末形態から注射可能な液体形態に再構成するために、塩化ナトリウム（生理食塩水）の溶液などの希釈剤をガラスバイアルに注入することができる。生理食塩水は、典型的には輸液バッグで入手可能であり、一般にバッグからシリンジに引き込む必要がある。２ｇのシクロホスファミドバイアルは、典型的には、１００ｍｌの溶液の注入を必要とする。シクロホスファミド粉末が実際に溶解するまでに長い時間がかかる場合があるため、多くの薬局では、長い調製時間を避けるために一度に多数のこのようなバイアルを再構成し、それらを一週間を通して使用し得る。バイアルへの１００ｍｌの液体の添加は、ガラスバイアル内の圧力が（希釈剤の添加のために）増加し、場合によっては再構成された薬剤が、使用のために保管される間に加圧バイアルから漏れ出ることがあるため、安全性の問題および潜在的な安全上の危険をもたらす可能性がある。液体移送システムは、バイアル内部のそのような過圧状態を排除するための解決策を提供し、閉鎖システムにおける流体の漏れのない移送を実現し得る。
【００３０】
以下の図は、本発明の液体移送システムの例示的な実施形態、ならびに薬剤再構成および薬剤希釈のためのシステムを使用する例示的な方法を示す。これらの図およびそれらに関連する説明は、包括的であること、または開示された実施形態に本発明を限定することを意図するものではない。
【００３１】
当業者は、本明細書に開示されていないが、本発明の教示の制約内にある修正形態、置換形態、変更形態、および等価物で本発明が実施され得ることを容易に理解するであろう。さらに、当業者であれば、本発明を、本明細書に開示されているような薬剤再構成および希釈以外の他の用途、例えば計量された量の液体を第１の容器から第２の容器へ汚染なしに移送するために使用できることを容易に理解するであろう。ある場合には、液体は、第１の容器から第２の容器に移送される薬剤または薬剤の組み合わせを含み得るが、シリンジによって移送可能であり得る任意の液体が適切であり得る。
【００３２】
ここで、本発明の実施形態による例示的な液体移送システム１００を概略的に示す図１を参照する。液体移送システム１００は、液体供給管１０２と、二重逆止弁１０４または機能的に類似する装置と、液体輸送管１１２と、マルチポートマニホルド１１４およびＣＳＴＤコネクタ１１６を含む移送装置１０１と、ガス輸送管１１８と、逆止弁１２０または機能的に類似する装置とを含む。さらに、液体移送システム１００は、ガス収集容器１２２を含み得る。以下、便宜上、二重逆止弁１０４および逆止弁１２０に機能的に類似する装置を、それぞれ「二重逆止弁１０４」および「逆止弁１２０」と呼ぶこともある。
【００３３】
本発明の実施形態では、液体移送システム１００は、希釈剤容器１２６から、ＣＳＴＤコネクタ１１６に接続され得る薬剤容器１３１への流体、例えば希釈剤１２８の汚染のない移送に、および閉鎖システムにおいて薬剤容器からガス収集容器１２２へガス１２４（薬剤放出蒸気と混合された空気を含み得る）を導くために使用され得る。薬剤容器１３１は、乾燥形態（再構成用）または液体形態（希釈用）であり得る薬剤１３４を含む、バイアル１３０またはバッグ状薬剤容器１３２を含み得る。これらのガスは、希釈剤が薬剤容器内のガス１２４によって先に占められていた空間を占有し、両方に余地がないため、薬剤１３４に希釈剤１２８を添加するプロセス中に薬剤容器１３１から自然に押し出され得る。
【００３４】
液体供給管１０２は、遠位端で希釈剤容器１２６に接続し得る。希釈剤容器１２６は、例えば、生理食塩水、デキストロース、蒸留水、または乾燥薬剤を再構成するためにおよび／または流体薬剤を希釈するために使用される他のタイプの流体であり得る希釈剤１２８を含有する、１つまたは複数の希釈剤バッグを含み得る。近位端において、液体供給管１０２は、二重逆止弁１０４に接続し得る。
【００３５】
二重逆止弁１０４は、３つのポート、すなわち、液体供給管１０２に接続し、希釈剤１２８が希釈剤容器１２６から弁に流入する第１のポート１０６と、手動操作式シリンジ、自動作動シリンジ、もしくは例えばリピータポンプなどのポンプ、または計量された量の流体をシステムに注入することができる何れかの他の源に接続され得る第２のポート１０８と、液体輸送管１１２の近位端が接続され得、および二重逆止弁から希釈剤１２８が流入し得る第３のポート１１０とを含み得る。二重逆止弁１０４は、図３〜図５を参照して以下にさらに説明するように、ポート１０６からポート１０８への一方向性の希釈剤の流れを許容し得、およびさらにポート１０８からポート１１０への一方向の流れを許容し得る。第２のポート１０８は、標準的な雌ルアーロックポート１０９または何れかの他の適切な接続手段を含み得る。
【００３６】
液体輸送管１１２は、二重逆止弁１０４の第３のポート１１０をマルチポートマニホルド１１４に流体接続して、二重逆止弁からマニホルドへの希釈剤の流れを許容し得る。マルチポートマニホルド１１４は、ＴコネクタまたはＹコネクタを含み得、かつ液体輸送管１１２の遠位端に接続する第１のポート１１５と、ＣＳＴＤコネクタ１１６に接続し得る第２のポート１１９と、ガス容器１２２に通じるガス輸送管１１８の近位端に接続し得る第３のポート１１７とを含み得る。
【００３７】
ここで、図２を同じく参照すると、本発明の実施形態による、マルチポートマニホルド１１４（Ｔコネクタ）と、第２のポート１１９に接続されたＣＳＴＤコネクタ１１６とを含む移送装置１０１の詳細図が概略的に示されている。マニホルド１１４の第３のポート１１７は、第１のポート１１５を通ってマニホルド内に流入する希釈剤１２８がガス輸送管１１８に流入するのを防止するシール１２１を含み得る。
【００３８】
ＣＳＴＤコネクタ１１６は、本発明の譲受人が一般に所有する前述の特許および特許出願に記載されたコネクタの１つを含み得る。そこに記載されているコネクタは、ＣＳＴＤでの使用に適しており、薬剤容器１３１に接続可能なアダプタに取り付け可能である。アダプタは、また、本発明の譲受人が一般に所有する前述の特許および特許出願に記載されたアダプタの１つを含み得る。例えば、ＣＳＴＤコネクタ１１６はシリンジコネクタであり得、アダプタは、バイアル（薬剤容器）１３０に取り付けるためのバイアルアダプタであり得、その両方は米国特許第８，１９６，６１４号明細書に記載されているようなものであり、シリンジコネクタは、マニホルド１１４の第２のポート１１９に接続するように適切に修正されている。代替的には、アダプタは、バッグ薬剤容器１３２に取り付けるためのバッグアダプタであり得、修正されたシリンジコネクタがそれに接続され得る。
【００３９】
ＣＳＴＤコネクタ１１６は希釈剤導管１３６を含み得、希釈剤導管１３６を通って、マニホルド１１４の第１のポート１１５に入る希釈剤１２８はマニホルドを通り、バイアルまたはバッグアダプタ（図示せず）を通って薬剤容器１３１に流れ込む。ＣＳＴＤコネクタ１１６はガス導管１３８をさらに含み得、ガス導管１３８を通って、薬剤蒸気と混合され得る空気を含むガス１２４が薬剤容器１３１の内側からアダプタを通りかつコネクタを通ってガス輸送管１１８に向かい、ガス容器１２２に流れ得る。ガス導管１３８は、ＣＳＴＤコネクタ１１６を通ってマニホルド１１４内に、および第３のポート１１７のシール１２１を通ってガス輸送管１１８の方向に延在し得る。
【００４０】
いくつかの実施形態では、ＣＳＴＤコネクタ１１６およびマルチポートマニホルド１１４は、単一の構成要素として形成されてもよく、または単一のアセンブリとして工場で予め組み立てられてもよい。あるいは、ＣＳＴＤコネクタ１１６およびマルチポートマニホルド１１４は、液体移送システムの現場組立中に１つのアセンブリとして相互に接続され得る２つの別個の構成要素であってもよく、この際、シールを通るガス導管１３８の挿入を可能にするための手段がシール１２１内に形成される。
【００４１】
ガス輸送管１１８は、近位端でマニホルド１１４の第３のポート１１７に接続され得、ガス導管１３８を通って流れるガス１２４を薬剤容器１３１からガス容器１２２に輸送し得る。ガス輸送管１１８の逆止弁１２０は、ガス収集バッグ１２２に入る一方向性のガスの流れを許容し得、かつガス収集バッグからマニホルド１１４に向かう方向にガスが流れるのを防止し得る。逆止弁１２０はさらに、例えば、洗い流す結果として、ガス収集バッグ１２２に集まる可能性のあるいかなる液体もマニホルド１１４に向かってガス収集バッグから流出するのを防止し得る。
【００４２】
当業者であれば、本発明の液体移送システムが異なる構成要素または構成要素の組み合わせを使用して上記の説明に基づいて実施可能であること、および本発明の実施が、図１を参照して示され記載されたものと同じ正確な１つまたは複数の構成要素を使用することに限定されないことを認識するであろう。以下の図３〜図５は、本発明のいくつかの実施形態による、計量された量の膨張１２８（または他の流体）をシステムに注入するための異なる機構を有する液体移送システム１００の例示的な使用を示す。
【００４３】
図３は、本発明の実施形態による、閉鎖式の再構成もしくは膨張プロセス、または他の液体移送プロセスにおいて手動操作式シリンジ１５０と共に使用される液体移送システム１００を概略的に示す。シリンジ１５０は、二重逆止弁１０４の第２のポート１０８のルアーコネクタ１０９に接続され得る。
【００４４】
作動中、希釈剤１２８は、プランジャが引かれたときにシリンジ１５０が希釈剤を引くことに応答して、希釈容器１２６から液体供給管１０２を通って二重逆止弁１０４のポート１０６に流れ込み得る。ポート１０６からの希釈流はポート１０８への一方向性であり、希釈剤１２８はシリンジ１５０に引き込まれ得る。シリンジ１５０に引き込まれる希釈剤１２８の量は、（シリンジ上のマーキングに対するプランジャの位置によって視覚的に決定される）所望の位置までプランジャを引くことによって測定することができる。所望の量の希釈剤１２８が充填されると、シリンジ１５０内の計量された量の希釈剤１２８をポート１０８に流入させながらプランジャを押し込むことができる。ポート１０８からの流れは二重逆止弁１０４の第３のポート１１０まで一方向性であり得、その結果、プランジャを押すやと、計量された量の希釈剤１２８は、二重逆止弁１０４を通って液体輸送管１１２に流れ込む。液体輸送管１１２から、計量された量の希釈剤１２８がマニホルド１１４に流れ込み、ＣＳＴＤコネクタ１１６を通り希釈剤導管１３６を通って薬剤容器１３１（バイアル容器１３０またはバッグ薬剤容器１３２）へ流れ込み、再構成された（または希釈された）薬剤１３５を作り得る。バイアル１３０から排出されたガス１２４は、ＣＳＴＤコネクタ１１６およびマニホルド１１４内のガス導管１３８を通ってガス輸送管１１８に、およびガス収集バッグ１２２に流れ込み得る。
【００４５】
図４は、本発明の実施形態による、閉鎖式再構成または膨張プロセス、または他の液体移送プロセスにおいて自動シリンジ装置１５２と共に使用される液体移送システム１００を概略的に示す。シリンジ１５０は、自動シリンジ装置１５２（半自動式であってもよい）に取り付け可能であり、かつシリンジとの間で希釈剤１２８が流れ得る移送管１５４によって二重逆止弁１０４の第２のポート１０８に接続可能である。代替的に、シリンジ１５０は、第２のポート１０８のルアーコネクタ１０９に直接接続されてもよい。液体移送システム１００の作動は、図３に関して記載されたものにかなり類似しているが、シリンジの作動は（自動シリンジ装置１５２によって）自動的である。
【００４６】
図５は、本発明の実施形態による、閉鎖式再構成もしくは膨張プロセス、または他の液体移送プロセスにおいてリピータポンプ１６０と共に使用される液体移送システム１００を概略的に示す。リピータポンプ１６０または他の適切な自動または半自動流体注入装置は、それ自体の希釈剤容器１６２を含むことができ、または供給管１６６を介して外部希釈剤容器１６４に流体接続されてもよく、その結果、希釈剤容器１２６および液体供給管１０２は不要でもよい。液体移送管１１２は、前述した二重逆止弁１０４が同じく不要でもよいように、リピータポンプ１６０に直接接続されてもよい。液体移送システム１００は、希釈剤１２８がリピータポンプ１６０からマニホルド１１４のポート１１５に直接注入される状態で作動し得る。リピータポンプ１６０を用いた液体移送システム１００の作動は、図３に記載したものとかなり類似し得るが、容器１２６、液体供給管１０２、および二重逆止弁１０４は不要である。
【００４７】
ここで図６を参照する。図６は、本発明の実施形態による、複数の薬剤容器における薬剤再構成または薬剤希釈のために閉鎖式液体移送システムを使用する例示的な方法のフローチャートである。この方法は、液体移送システムのセットアップを含む第１段階と、システムセットアップ後の複数の薬剤容器への液体移送を含む第２段階とを含み得る。この方法の説明において、図４および図５の実施形態を参照することもできるが、分かりやすくするために、図１および図３に記載の液体移送システム１００を参照する。
【００４８】
当業者には、この方法がより多いまたは少ないステップを用いて、または異なるステップシーケンスを用いて実施されてもよく、ステップの追加および／または削除、ステップの省略、ならびにステップの順序の並べ替えを含んでもよいことが明らかであろう。
【００４９】
第１段階：
６００において、液体供給管１０２が希釈剤容器１２６に接続され得る。希釈剤容器１２６は、希釈剤バッグまたは希釈剤１２８を保持するための他の適切な容器であり得る。希釈剤容器１２６は、液体供給管１０２に接続可能なアダプタを予め備えられていてもよく、代替的には、アダプタは、このステップ中に容器に接続されてもよい。
【００５０】
６０１において、シリンジ１５０が二重逆止弁１０４の第２のポート１０８に接続される。シリンジ１５０は、手動操作式シリンジであってもよく、または自動シリンジ装置１５２に取り付けられてもよい。代替的には、シリンジ（手動または自動式）の代わりに、リピータポンプ１６０または他の適切な注入手段がポート１０８に（または液体輸送管１１２に直接）接続されてもよい。
【００５１】
６０２において、希釈剤１２８は、プランジャを引っ張ることによってシリンジ１５０に引き込まれる。希釈剤の量は、空気を押し出して液体に置換し、またシステム構成要素の何れかに存在し得る薬剤残留物を洗い流すために、システムを洗い流してプライミングするのに十分なものでなければならない。あるいは、リピータポンプ１６０が使用される場合、リピータポンプは、全く必要ない可能性がある希釈剤容器１２６から希釈剤を引き出す必要はなく、リピータポンプは、任意選択のポンプ容器１６２からまたは外部希釈剤容器１６４から、洗い流しおよびプライミングに必要な量をポンプ送給し得る（６０４参照）。
【００５２】
６０３において、希釈剤１２８が液体輸送管１１２に注入され、システムを洗い流す。洗い流しプロセスの一部として、希釈剤１２８は、マルチポートマニホルド１１４を通ってＣＳＴＤコネクタ１１６に、および希釈剤導管１３６に流入し得る。ＣＳＴＤコネクタ１１６は、このステップでバイアルアダプタに接続されないため、希釈剤１２８は、希釈剤導管１３６からＣＳＴＤコネクタ内のチャンバを通ってガス導管１３８へ流入し得る（すなわち、ＣＳＴＤコネクタは、米国特許第８，１９６，６１４号明細書のコネクタセクション２５と機能的に類似し得る）。ガス導管１３８に流入する希釈剤１２８は、ガス輸送部１１８に、およびガス容器１２２に流入し得、そこに集められ収容される。
【００５３】
第２段階：
６０４において、アダプタを取り付けられた薬剤容器１３１（例えば、バイアルアダプタが取り付けられたバイアル１３０またはスパイクアダプタが取り付けられたバッグ１３２）がＣＳＴＤコネクタ１１６に接続される。後続の６０６は、この６０５と交換可能である。
【００５４】
６０５において、再構成または希釈に使用される必要量の希釈剤１２８が希釈剤容器１２６からシリンジ１５０に引き込まれる。その量は、（希釈剤をシリンジに引き込むために）プランジャを引っ張っている間にシリンジスケール上で使用者が計量することができ、または自動シリンジ装置１５０用の他のパラメータ（例えばプランジャ引張長さ）に基づくことができる。代替的に、シリンジ（手動または自動式）の代わりに、リピータポンプ１６０が使用されてもよく、希釈剤１２８の引込みは必要ない。リピータポンプ１６０は、予めプログラムされた必要量を注入し得る（６０７参照）。
【００５５】
６０６において、希釈剤１２８は、プランジャを押すことによって液体輸送管１１２に注入されるか、またはポンプによって注入される。希釈剤は、液体輸送管１１２を通ってマルチポートマニホルド１１４に流入し得、かつマニホルドおよびＣＳＴＤコネクタ１１６内の希釈剤導管１３６を通りアダプタを通って薬剤容器１３１に流入し得る。薬剤容器１３１内のガス１２４は、ガス導管１３８を通ってガス輸送管１１８へ、およびガス容器１２４へ流出し得る。マルチポートマニホルド１１４内のシール１２１は、注入された希釈剤がマルチポートマニホルドからガス輸送管１１８に流出することを防止し得る。
【００５６】
６０７において、希釈剤１２８が薬剤容器１３１に注入された後、（薬剤容器が取り付けられた状態で）アダプタをＣＳＴＤコネクタ１１６から取り外すことができる。
【００５７】
６０８において、別の（「新しい」）薬剤容器１３１内の同じ薬剤１３４が再構成または希釈される場合、第５〜第８のステップが繰り返されてもよい。同様に、希釈剤容器１２６が同じ希釈剤を含む希釈剤容器に交換される場合である。異なる薬剤を再構成または希釈する場合、または新しい種類の希釈剤を使用する場合、第１から第８のステップを繰り返すことができる。
【００５８】
６０９において、全ての薬剤容器１３１が満たされると、プロセスは終了する。
【００５９】
本発明の実施形態の前述の説明および図示は、例示のために提示された。網羅的であることを意図するものでも、本発明を上記の説明に限定するものでも決してない。
【００６０】
上記に定義され、特許請求の範囲で使用されるあらゆる用語は、この定義に従って解釈されるべきである。
【００６１】
特許請求の範囲に含まれる場合、参照番号は特許請求の範囲の一部ではなく、むしろその読解を容易にするために使用される。これらの参照番号は、決して特許請求の範囲を限定するものとして解釈されるべきではない。
【図１】
2017535386.tif 000003
【図２】
2017535386.tif 000004
【図３】
2017535386.tif 000005
【図４】
2017535386.tif 000006
【図５】
2017535386.tif 000007
【図６】
2017535386.tif 000008
【国際調査報告】
2017535386.tif 000009